(57)【特許請求の範囲】
【請求項１】
支持具（腓支持具）を備えた椅子において、
座席（５）と背もたれ（１）との間の角度が無段階に調整可能であり、座席の前の縁（５’）が腓支持板（６）にリンク連結（７）され、座席の前の縁（５’）は、椅子のベースから上方に傾斜している伸縮式の支持具（８）であってかつ前記ベースにしっかり取り付けられた第１の支持部材（９）と前記第１の支持部材に関して滑ることができかつ座席の前の縁（５’）にリンク連結された第２の支持部材（１０）とを有する前記伸縮式の支持具（８）にリンク連結され、
前記支持具（８）の外側に沿って下後方に伸びている固定具（１１）が座席の前の縁にしっかり取り付けられ、空気バネ（１３）がその下端（１３’）において前記固定具（１１）にリンク連結され、かつ他方の端部（１３’’）において座席（５）と板（６）との間の前記リンク連結（７）の近くで前記板の後端（６’）において前記板の下側から伸びるアーム（１４）の自由端に旋回可能に連結された
椅子であって、
滑りフックバー（１５）がその自由端において前記アーム（１４）にリンク連結され、前記滑りフックバー（１５）は第１の傾斜面（１７）及びこれとある角度にあってフック部分（１９）に移行する第２の傾斜面（１８）を有し、更に前記第１の傾斜面（１７）は前記バーの下方の自由端の部分に移行すること、アングル金具（２０）が前記第１の支持部材（９）にしっかり取り付けられ、前記滑りフックバー（１５）は前記アングル金具（２０）の水平部分と接触して滑るようにされかつ前記板（６）の希望の、好ましくは水平の、使用位置においては前記アングル金具（２０）と接触しないようにされること、
水平のＵ型分岐（１２’、１２’’）を有するＵ型ループ（１２）が前記固定具（１１）にしっかり取り付けられ、前記滑りフックバー（１５）は異なった高さにあるＵ型の分岐（１２’、１２’’）間に適合するようにされること、そして、
椅子の座席（５）と背もたれ（１）との間の角度の増加により前記滑りフックバー（１５）が前記アングル金具（２０）に関して上方に移動され、従って前記第２の傾斜面（１８）が前記アングル金具（２０）と接触しかつこれを昇り始めたとき、この移動が前記Ｕ型ループ（１２）の一番上に置かれた分岐（１２’）に対する滑りフックバー（１５）の滑り接触とともに前記滑りフックバー（１５）に回転運動を起こさせ、このため、前記アーム（１４）に前記空気バネ（１３）の端部（１３’’）とともにリンク連結されたその端部は下前向きに移動できるようになり、これにより、前記アーム（１４）にリンク連結された前記空気バネの端部（１３’’）は、前記空気バネ（１３）の伸長が板（６）に希望の、好ましくは、水平の位置を取らせることが可能でありかつ実行させる位置にまで移動し、同時に前記フック部分（１９）が前記Ｕ型ループ（１２）の一番下の分岐（１２’’）と組み合って前記板（６）の下向きの移動を防止し、更に前記バー（１５）の前記自由端部分（１５’）が前記アングル金具からある距離だけ離れて動き、そして
椅子の座席と背もたれとの間の角度が減少した場合は、前記滑りフックバー（１５）の自由端（１５’）が前記アングル金具（２０）と接触しこれに沿って滑り、このため、前記第１の傾斜面（１７）が前記アングル金具（２０）と接触しこれを昇ったとき、前記フック（１９）が前記Ｕ型ループ（１２’’）から外れ、これにより、前記滑りフックバー（１５）は前記アングル金具（２０）に沿って滑り、同時に前記板（６）は使用者の脚の重さで下方に動かされ、前記第２の支持部材（１０）が前記第１の支持部材（９）と共同作用してこれに沿って下方に、前記アーム（１４）の自由端が前記空気バネ（１３）の作動を防げる位置にくるまで動く、
ことを特徴とする椅子。
【請求項２】
前記腓支持板（６）に伸縮手段（２１、２２）が取り付けられ、これにより前記板の長さが調整可能であること、及び前記板は、その前方、自由端に車輪（２３）又は車輪の対が取り付けられ、前記板が下方に傾けられた位置又は後方に傾けられた位置を取ったとき、この車輪は椅子のベースが置かれる床（２４）又は基礎に対し、恐らくは椅子のベース（４）に対して押し付けられ、同時に、前記伸縮手段は前記床又は同等の場所に対する前記車輪の接触のため前記板の長さを減らすようにする
ことを特徴とする請求項１に述べられた椅子。
【発明の詳細な説明】
本発明は、脚支持具（腓支持具）を備えた椅子であって、座席と背もたれとの間の角度が無段階に調整可能であり、座席の前の縁が腓支持板にリンク連結され、座席の前の縁は、椅子のベースから上方に傾斜している伸縮式の支持具であってかつ前記ベースにしっかり取り付けられた第１の支持部材と前記第１の支持部材に関して滑ることができかつ座席の前の縁にリンク連結された第２の支持部材とを有する前記伸縮式の支持具にリンク連結され、前記支持具の外側に沿って下後方に伸びている固定具が座席の前の縁にしっかり取り付けられ、空気バネがその下端において前記固定具にリンク連結されかつ他方の端部において、座席と板との間の前記リンク連結の近くで前記板の後端において前記板の下側から伸びるアームの自由端に旋回可能に連結された椅子に関係する。
この形式の椅子は、ノルウェー特許出願９３．３４５２号より知られる。
従来技術の更なる情報について、ノルウェー特許明細書７６．６６１号及びドイツ公告明細書３．５３１．８７９号が引用される。
更に、多くのかかる公知の椅子の解決法、特にいわゆる「デッキチェアー」に関するものがある。しかし、椅子の使用者が椅子を直立位置にしたいときに腓支持板を簡単な方法で外すための大きな要求がある。
この目的で、本発明は簡単かつ実用的な解決策を考案した。その配列は、第１に、
滑りフックバーがその自由端において前記アームにリンク連結され、前記滑りフックバーは第１の傾斜面及びこれとある角度にあってフック部分に移行する第２の傾斜面を有し、更に前記第１の傾斜面は前記バーの下方の自由端の部分に移行すること、アングル金具が前記第１の支持部材にしっかり取り付けられ、前記滑りフックバーは前記アングル金具の水平部分と接触して滑るようにされかつ前記板の希望の、好ましくは水平の使用位置においては前記アングル金具と接触しないようにされること、
水平のＵ型分岐を有するＵ型ループが前記固定具にしっかり取り付けられ、前記滑りフックバーは異なった高さにあるＵ型の分岐間に適合するようにされること、そして、
椅子の座席と背もたれとの間の角度の増加により前記滑りフックバーが前記アングル金具に関して上方に移動され、従って前記第２の傾斜面が前記アングル金具と接触しかつこれを昇り始めたとき、この移動が前記Ｕ型ループの一番上に置かれた分岐に対する滑りフックバーの滑り接触とともに、前記滑りフックロッドに回転運動をさせ、このためその端部は、前記アームにリンク連結された前記空気バネの端部とともに下前向きに移動でき、これにより、前記アームにリンク連結された前記空気バネの端部は、前記空気バネの伸長が板に希望の、好ましくは水平の位置を取らせることが可能でありかつ実行させる位置をセンターオーバー（ｃｅｎｔｅｒ  ｏｖｅｒ）し、同時に前記フック部分が前記Ｕ型ループの一番下の分岐と組み合って前記板の下向きの移動を防止し、更に前記ロッドの前記自由端部分が前記アングル金具からある距離だけ離れて動き、そして
椅子の座席と背もたれとの間の角度が減少した場合は、前記滑りフックロッドの自由端が前記アングル金具と接触しこれに沿って滑り、このため、前記第１の傾斜面が前記アングル金具と接触しこれを昇ったとき、前記フックが前記Ｕ型ループから外れ、これにより、前記アームの自由端が前記空気バネの作動を防ぐセンターオーバー位置にくるまで、前記滑りフックロッドは前記アングル金具に沿って滑り、同時に前記板は使用者の脚の重さで下方に動かされ、前記第２の支持部材が前記第１の支持部材と共同作用してこれに沿って下方に動く
ことを特徴とする。
この配列の更なる実施例により、前記腓支持板に伸縮手段が取り付けられ、これにより前記板の長さが調整可能であること、及び前記板は、その前方、自由端に車輪又は車輪の対が取り付けられ、前記板が下方に傾けられた位置又は後方に傾けられた位置を取ったとき、この車輪は椅子のベースが置かれる床又は基礎に対し、恐らくは椅子のベーに対して押し付けられ、同時に、前記伸縮手段は前記床又は同等の場所に対する前記車輪の接触のため前記板の長さを減らすようにする。
本発明は、付属図面を参照し、更に詳細に説明されるであろう。
図１は椅子の第１の使用位置における本発明による配列を示す。
図２は椅子の第２の使用位置における本発明による配列を示す。
椅子には背もたれ１が設けられ、この背もたれはひじ掛け３の旋回点２と連結され、このひじ掛けは垂直部分３’に移行し、そして椅子のベース４において終わる。背もたれ１は、リンク連結６により椅子の座席５に連結される。椅子の腓支持板が番号６で示され、これはヒンジ連結７により椅子の座席の前方部分５’に連結される。座席の前端部分５’には伸縮式の支持具８にリンク連結され、この支持具は椅子のベース４から斜め上方に伸び、更にベース４にしっかり取り付けられた第１の支持部材９、及び前記第１の支持部材９に関して摺動可能でありかつ座席の前の縁５’にリンク連結された破線で示されるような第２の支持部材１０を備え、この前上方に傾いている伸縮式支持具８は、例えばシリンダーとピストンロッドのような形状とすることができる。しかし、このピストンロッド１０’はピストンにおいて終わらずにランナー１０”において終わる。座席の前の縁において、その下側に固定具１１がしっかり取り付けられ、この固定具は前記支持具８の外側に沿って少なくもそのある長さにわたって下後方に伸びる。分岐１２’、１２”が水平であるＵ字形のループ１２が、前記固定具１１の両端間のほぼ中央位置で前記固定具１１にしっかりと取り付けられる。空気バネ１３が、その一方の端部１３’において前記固定具１１の下端部分とリンク連結され、また、他方の端部１３”においてはアーム１４の自由端に旋回可能に連結される。このアームは、前記座席５と前記板６との間のリンク連結７に近い板６の後端６’において、板６の下側から外向きに伸びている。図１から分かるように、前記板６がほぼ水平位置を取ったとき、前記アーム１４は下向きに伸びる。更に、滑りフックロッド１５が前記アーム１４の自由端においてこの前記アームにリンク連結される。図２に更に示されるように、滑りフックロッド１５は、第１の傾斜面１７、及びこれに関してある角度を有しフック部分１９に移行している第２の傾斜面１８を備える。前記第１の傾斜面１７は前記ロッド１５の下方の自由端１５’に移行していくことが見られるであろう。前記第１の支持部材９にアングル金具２０がしっかりと取り付けられる。滑りフックロッド１５は、前記アングル金具２０の水平部分と接触して滑るようにされる。腓支持板６の希望の使用位置、好ましくは水平の使用位置においては、前記滑りフックロッドの端部１５’は図１より明らかに見られるように前記アングル金具２０と接触しない。椅子の座席と背もたれ１との間の角度が大きくなると、滑りフックロッド１５は、前記アングル金具２０に関して上方に動かされる。前記固定具１１は椅子の座席５の下側の前方部分に取り付けられているため同時に上向きに動き、伸縮式支持具８の２個の部材９及び１０も互いに動くであろう。これに加えて、前記第２の傾斜面１８が前記アングル金具２０と接触しその水平部分上で上昇を開始すると、この動きは、前記Ｕ型ループ１２の上方分岐１２’に対する前記滑りフックロッド１５の滑り接触とともに、図２で見て反時計方向の回転運動をさせるであろう。これにより、滑りフックロッド１５の端部は、空気ばね１３の端部１３”とともに、下前向きに移動し、これにより、アーム１４にリンク連結された空気バネの端部１３”は空気ばね１３の伸長が可能となる位置にセンターオーバーし、これにより板６は、これが希望の、好ましくは水平位置を取るまで反時計方向にヒンジ連結７まわりに旋回させられる。フック部分１６がアングル金具２０を通過しかつ同様に前記ロッドの端部１５’がアングル金具２０を通過すると直ちに、ロッド１５が前記Ｕ型フック１２の一番下の分岐１２”上にきて、そして最後にフック１９が前記一番下の分岐１２”と組み合うであろう。この方法で、椅子が図１に示されたように後方に倒された位置にあるときは、腓支持板６を折り畳むことはできないであろう。
しかし、椅子の背もたれ１と座席５との間の角度が小さくされたとき、即ち人が椅子をより直立の位置にしたいたいときは、滑りフックロッドの自由端の部分１５’をアングル金具２０に当ててこれに沿って滑らせる。突起１６の前記第１の傾斜面１７がアングル金具に達しこれと接触すると、これはアングル金具２０上を昇り始め、次いで、フック１９とＵループとの組合いが外れ、これにより滑りフックロッドはアングル金具２０に沿って滑り、これと同時に腓支持板６は使用者の脚（図示せず）の重量により下向きに動かされる。同時に、第２の支持部材１０は、アーム１４の自由端が空気バネ１３の作動を防ぐセンターオーバー位置を取るまで、前記第１の支持部材９と滑り共同作用してこれに沿って下方に動くであろう。図解された方法においては、これは、技術的には簡単であるが無段階調整可能な椅子に腓支持板６を取り付ける機能的に安全な方法を提供し、更にこの板６は椅子が直立位置にされたときに折り畳むことができる。
腓支持板にはパイプ２１とロッド２２の形式の伸縮手段が設けられる。このロッドは前記パイプ２１内で滑ることができ、かつその端部には、前記部品２１と２２との間の容易な手動運動を与えるためにハンドル車２２’が取り付けられ。更に、パイプ２１は、その開口端部にローラー２１’を取り付けることができる。このローラーは前記パイプ２１の前の縁における部品２２の容易な滑り運動を確保する。
腓支持板６は２個の部材６”と６”’とに分割され、これにより部材６”は静止し、一方、部材６”’は動くことができる。部材６”’は、その外側端部に車輪２３、恐らくは車輪の対が取り付けられ、板６が下向き傾斜位置又は後向き傾斜位置（図２参照）を取ったとき、この車輪は、この椅子のベースの置かれる床２４又は基礎に対し、恐らくは椅子のベースに対して押し付けられる。同時に、前記伸縮手段２１、２２は、車輪２３と前記床又は同様な場所との接触のため、これら２個の部材６”及び６”’を互いに近付けて、板６の長さを短くさせる。
【図１】
0003827244.tif 000002
【図２】
0003827244.tif 000003